(57)【特許請求の範囲】
【請求項１】
流し台の水槽の後側の側壁の一部が後方に向かって突出した突出壁となされた流し台の水槽において、水槽の底壁が、溝・窪みを有しない底壁前部と、突出壁の前方の、溝・窪みを有しない底壁後部とを有しており、底壁前部と底壁後部とに跨るかたちで底壁に排水器具取付開口が形成され、この排水器具取付開口の縁部に水槽の底壁上面より段落ちした蓋体載置段落ち部が形成され、この蓋体載置段落ち部に蓋体が着脱自在に載置され、この蓋体は、上面が底壁前部の上面と面一となる前部と、上面が底壁後部の排水器具取付開口縁部より段落ちすると共に排水口を有する後部とを有しており、前記底壁前部との境目近傍の底壁後部の部分が、底壁前部より急な後方に向かう下り傾斜となされている流し台の水槽。
【発明の詳細な説明】
【０００１】
【発明の属する技術分野】
本発明は流し台の水槽に関する。
【０００２】
【従来の技術】
従来、この種の流し台の水槽として以下の如きものは知られている。即ち、水槽の底壁が、底壁前部と、底壁前部より段落ちした排水誘導溝を有する底壁後部とを有しており、底壁前部と底壁後部に跨るかたちで底壁に排水器具取付開口が形成され、前記底壁前部の排水器具取付開口の縁部に底壁前部の上面より段落ちした蓋体載置段落ち部が形成され、この蓋体載置段落ち部に蓋体が着脱自在に載置されたものは知られている（特開平９−２５６４３４号参照）。
従来の流し台の水槽は、排水誘導溝を有する底壁後部の存在により、排水をスムーズに排出することが出来る利点を有するものである。
【０００３】
【従来技術の欠点】
前記従来の流し台の水槽には以下の如き欠点があった。即ち、排水誘導溝の垂直側面や、排水誘導溝の垂直側面と排水誘導溝の底面との境部分の洗浄が行ないにくいという欠点があった。また、排水と共に底壁にころがっていた小型のスプーン・フォーク等が排水誘導溝に落下し騒音が発生するという欠点があった。
【０００４】
【前記欠点を解消するための手段】
本発明は前記欠点を解消するために以下の如き手段を採用した。
請求項１の発明は、流し台の水槽の後側の側壁の一部が後方に向かって突出した突出壁となされた流し台の水槽において、水槽の底壁が、溝・窪みを有しない底壁前部と、突出壁の前方の、溝・窪みを有しない底壁後部とを有しており、底壁前部と底壁後部とに跨るかたちで底壁に排水器具取付開口が形成され、この排水器具取付開口の縁部に水槽の底壁上面より段落ちした蓋体載置段落ち部が形成され、この蓋体載置段落ち部に蓋体が着脱自在に載置され、この蓋体は、上面が底壁前部の上面と面一となる前部と、上面が底壁後部の排水器具取付開口縁部より段落ちすると共に排水口を有する後部とを有しており、前記底壁前部との境目近傍の底壁後部の部分が、底壁前部より急な後方に向かう下り傾斜となされているものである。
【０００５】
【発明の効果】
請求項１の発明は以下の如き効果を奏する。
底壁後部が排水誘導溝を有しないので、即ち、洗浄が行ないにくい、排水誘導溝の垂直側面や、排水誘導溝の垂直側面と排水誘導溝の底面との境部分がないので、底壁の洗浄が行ないやすい。また、底壁後部が排水誘導溝を有しないので、小型のスプーン・フォーク等が排水誘導溝に落下し騒音が発生するというようなこともない。
【０００６】
【発明の実施の形態】
以下に本発明の実施の形態を図面を参照しつつ説明する。
なお、この説明において、前とは図１下側を、後とは同図上側をいい、左とは図１左側を、右とは同図右側をいう。
【０００７】
流し台１の天板２に、側壁４及び底壁７を有する水槽３が設けられている。この水槽３の後側の側壁４の一部が後方に向かって突出した突出壁５となされている。なお、側壁４及び突出壁５は、垂下部と、垂下部の下端と底壁７の周縁部とをつなぐ湾曲部とより構成されている。即ち、水槽３の底部周縁部の湾曲部（側壁４又は突出壁５の下部というべきか、底壁７の周縁部というべきか分かりにくい湾曲部）は、本明細書では、側壁４又は突出壁５の下部ということにするというものである。
【０００８】
水槽３の底壁７が、溝・窪みを有しない底壁前部７ａと、突出壁５の前方の、溝・窪みを有しない底壁後部７ｂとを有している。なお、図１の左右の境界線Ｌが、底壁前部７ａと底壁後部７ｂとの境を示すものであるが、実際にはほとんど線としては表れない。
前記底壁前部７ａとの境目近傍の底壁後部７ｂの部分（境界線Ｌの近傍の底壁後部７ｂの部分）が、底壁前部７ａより急な後方に向かう下り傾斜となされている。ここで、「底壁前部７ａとの境目近傍の底壁後部７ｂの部分（境界線Ｌの近傍の底壁後部７ｂの部分）が、底壁前部７ａより急な後方に向かう下り傾斜となされている」とは、仮想水平面と境界線Ｌの近傍の底壁後部７ｂの部分とのなす角度が、仮想水平面と底壁前部７ａとのなす角度より大きいことをいう。換言すれば、境界線Ｌの部分において、底壁前部７ａの上面と、底壁後部７ｂの上面とのなす角度θ（図２参照）が、１８０度を超え、２００度以下となされていることを意味する。なお、図１に底壁７の傾斜の方向を矢印で示している。それから明らかなごとく、後方に向かう下り傾斜には、全体としては後方に下り傾斜といえるが、右又は左にも傾斜した傾斜も含むものである。
前記底壁前部７ａと底壁後部７ｂとに跨るかたちで底壁７に排水器具取付開口１０が形成されている。この排水器具取付開口１０の縁部に底壁７の上面より段落ちした排水器具取付縁１１が形成され、この排水器具取付縁１１に公知の手段により公知の排水器具１３が取り付けられている。この排水器具１３は、トラップ機構（図示略）を有する排水器具本体１４と、この排水器具本体１４に着脱自在に嵌められたごみかご１５とを有している。
前記排水器具本体１４の上面及び排水器具本体１４の上面と面一になるようにして底壁７に形成された段落ち部（図３及び図４参照）によって、排水器具取付開口１０の縁部に水槽３の底壁７の上面より段落ちした蓋体載置段落ち部２５が形成されている。
【０００９】
前記蓋体載置段落ち部２５に、排水器具１３を覆うかたちで合成樹脂製・金属製等の蓋体１７が着脱自在に載置されている。
前記蓋体１７は、上面が水槽３の底壁前部７ａの上面と面一となる前部１７ａと、前部１７ａの下面周縁部に設けられると共に蓋体載置段落ち部２５に載る垂下縁１７ｃと、上面が水槽３の底壁後部７ｂの上面より段落ちすると共に下面が蓋体載置段落ち部２５に載るようになされた、排水口１９を有する後部１７ｂと、前部１７ａと後部１７ｂとを繋ぐ繋ぎ部とを有している。なお、繋ぎ部は平面から見て前方に凸湾曲している。
「蓋体１７の後部１７ｂの上面が水槽３の底壁後部７ｂの上面より段落ちしている」とは、蓋体載置段落ち部２５の垂直周壁の上部外周縁（底壁後部７ｂから蓋体載置段落ち部２５に段落ちする境の外周縁）を含む仮想面より蓋体１７の後部１７ｂの上面が下側に位置することをいう。
前記蓋体１７の前部１７ａは、底壁前部７ａと一連の連続面となっていて、鍋等の載置面を構成している。
前記排水口１９の後側縁部に前方に向かって下り傾斜の排水ガイド壁２０が形成されている。
【００１０】
排水は、底壁前部７ａから傾斜が急な底壁後部７ｂに至り、そこで速度を増してスムーズに排水口１９より排出される。なお、鍋等を蓋体１７全体を覆う状態で蓋体１７の前部１７ａに載置した際でも、鍋等の底面と底壁後部７ｂの上面（及び蓋体１７の後部１７ｂの上面）とに排水間隙が形成されるので、排水をスムーズに排水口１９より排出することが出来る。
【００１１】
【変形例等】
以下に変形例等について説明を加える。
（１）排水ガイド壁２０は有っても、なくてもよい。
（２）蓋体１７の後部１７ｂの下面周縁部に、蓋体載置段落ち部２５に載る垂下縁を形成してもよい。
【図面の簡単な説明】
【図１】本発明の実施の形態を示す要部平面図である。
【図２】図１のＩＩ−ＩＩ線拡大断面図である。
【図３】図１のＩＩＩ−ＩＩＩ線拡大端面図である。
【図４】図１のＩＶ−ＩＶ線拡大端面図である。
【符号の説明】
１  流し台
２  天板
３  水槽
４  側壁
５  突出壁
７  底壁
７ａ  底壁前部
７ｂ  底壁後部
１０  排水器具取付開口
１１  排水器具取付縁
１３  排水器具
１４  排水器具本体
１５  ごみかご
１７  蓋体
１７ａ  前部
１７ｂ  後部
１７ｃ  垂下縁
１９  排水口
２０  排水ガイド壁
２５  蓋体載置段落ち部
【図１】
0003926471.tif 000002
【図２】
0003926471.tif 000003
【図３】
0003926471.tif 000004
【図４】
0003926471.tif 000005